(57)【要約】【課題】  記録紙の全面に記録が可能な装置において、全面印刷を行なう場合には、紙端へのインク打ち込み量を低下させる。【解決手段】制御手段から間引きの度合いを示す間引き命令を受けた前記間引き制御手段は、印字データを「１」から「０」へ置き換える制御を行なう。【選択図】  図３
2005343068.tif 000002
【特許請求の範囲】
【請求項１】
印字データを生成する印字データ生成部を有し、
プリントヘッドの位置に応じて間引き指令を出す制御部を有し、
間引き指令を受けて実際のデータ間引きを行なう間引き制御部を有し、
プリントヘッドに印字データを転送するデータ転送部を有するインクジェットプリンタであって、
全面印刷を行なう場合には、紙端へのインク打ち込み量を低下させることを目的として、前記間引き制御部において間引きデータを生成することを特徴とするインクジェットプリンタ。
【請求項２】
前記印字データは、デジタル的に信号レベルが「１」の時はインクを吐出し、「０」の時はインクの吐出しないことを特徴とし、
前記データ転送部は、一本の信号線を介してシリアルに、クロック信号に同期して転送されることを特徴とする請求項１に記載のインクジェットプリンタ。
【請求項３】
前記間引き制御部は、前記制御部から間引きの度合いを示す間引き命令を受け、データを「１」から「０」へ置き換えることを特徴とする請求項１に記載のインクジェットプリンタ。
【請求項４】
前記間引き制御部は、複数色のヘッドの場合、各色同一ノズルに該当するデータは共通して「０」に置き換えることを特徴とする請求項１に記載のインクジェットプリンタ。
【発明の詳細な説明】
【技術分野】
【０００１】
本発明は、プリンタ、特に紙面全体に印刷するインクジェット方式のプリンタに適用する。
【背景技術】
【０００２】
従来、紙端へのインク打ち込み量を低減させる手法としては大きく分けて２つある。
【０００３】
まず一つ目は、画像処理におけるγ係数を変更するといった元データの補正を行ない、紙端部における印字データ自体の濃度を下げることにより実現する。
【０００４】
二つ目は、マスクテーブルによる補正で、紙端部における印刷の際、専用のマスクテーブルを使用することでデータ間引きを行ない実現する（特許文献２参照）。
【特許文献１】特開平８−３００６３９号公報
【特許文献２】特開平８−３３８２４１０号公報
【発明の開示】
【発明が解決しようとする課題】
【０００５】
しかし、これら手法においては、データ処理時間の増大や、本来のマスクテーブルとは別に間引き用マスクテーブルを必要とする（メモリの増大）等の問題があった。
【０００６】
本発明は、以上の点に着目して成されたもので、記録紙の全面に記録が可能な装置において、全面印刷を行なう場合には、紙端へのインク打ち込み量を低下させるインクジェットプリンタを提供することを目的とする。
【課題を解決するための手段】
【０００７】
そのために、本発明は、印字データ（デジタル的に信号レベルが「１」の時はインクを吐出し、「０」の時はインクの吐出しない）を生成する印字データ生成手段と、プリントヘッドの位置に応じて間引き指令を出す制御手段と、間引き指令を受けて実際のデータ間引きを行なう間引き制御手段と、プリントヘッドに印字データを転送するデータ転送手段とを備え、全面印刷を行なう場合には、紙端へのインク打ち込み量を低下させることを目的として、前記制御手段から間引きの度合いを示す間引き命令を受けた前記間引き制御手段は、印字データを「１」から「０」へ置き換える制御を行なう。また、前記間引き制御手段は、複数色のヘッドの場合、各色同一ノズルに該当するデータは共通して「０」に置き換えることで、間引きによる色味の変化を防ぐことを同時に行なう。
【０００８】
すなわち、本発明の技術内容は以下の構成を備えることにより前記課題を解決できた。
【０００９】
（１）印字データを生成する印字データ生成部を有し、プリントヘッドの位置に応じて間引き指令を出す制御部を有し、間引き指令を受けて実際のデータ間引きを行なう間引き制御部を有し、プリントヘッドに印字データを転送するデータ転送部を有するインクジェットプリンタであって、全面印刷を行なう場合には、紙端へのインク打ち込み量を低下させることを目的として、前記間引き制御部において間引きデータを生成することを特徴とするインクジェットプリンタ。
【００１０】
（２）前記印字データは、デジタル的に信号レベルが「１」の時はインクを吐出し、「０」の時はインクの吐出しないことを特徴とし、前記データ転送部は、一本の信号線を介してシリアルに、クロック信号に同期して転送されることを特徴とする前記（１）に記載のインクジェットプリンタ。
【００１１】
（３）前記間引き制御部は、前記制御部から間引きの度合いを示す間引き命令を受け、データを「１」から「０」へ置き換えることを特徴とする前記（１）に記載のインクジェットプリンタ。
【００１２】
（４）前記間引き制御部は、複数色のヘッドの場合、各色同一ノズルに該当するデータは共通して「０」に置き換えることを特徴とする前記（１）に記載のインクジェットプリンタ。
【発明の効果】
【００１３】
本発明によれば、画像処理やマスクテーブルによる補正方法を使用せず、単純な間引き回路でインク打ち込み量を低下させること可能とする。
【００１４】
また、プリンタヘッドのポジションを検知するエンコーダ等と組み合わせて、本発明の間引き制御を行なえば、全面印刷を行なうインクジェットプリンタにおいて、紙端部においてのみインク打ち込み量を低下させることを容易に行なうことも可能となる。
【発明を実施するための最良の形態】
【００１５】
以下、本発明のインクジェットプリンタに係る実施例について、図面を参照して詳細に説明する。
【実施例】
【００１６】
図１は、本発明のブロック図である。
【００１７】
１０１は、印字データ（デジタル的に信号レベルが「１」の時はインクを吐出し、「０」の時はインクの吐出しない）を生成する印字データ生成部である。
【００１８】
１０２は、プリントヘッドの位置に応じて間引き指令を出す制御部である。
【００１９】
１１ａは、間引き命令であり、ここでは７５％、５０％、２５％の３種類があるとする。
【００２０】
１０３は、間引き指令を受けて実際のデータ間引きを行なう間引き制御部である。１０４は、プリントヘッドに印字データを転送するヘッドデータ転送部である。
【００２１】
図２は、ヘッドデータをヘッドに転送するタイミングを表す図である。
【００２２】
２０１は、ヘッドクロックであり、立上りのタイミングでデータがヘッドに取り込まれる。
【００２３】
２０２は、ヘッドデータであり、シアン４ビット（Ｃ０，Ｃ１，Ｃ２，Ｃ３）、マゼンタ４ビット（Ｍ０，Ｍ１，Ｍ２，Ｍ３）、イエロ４ビット（Ｙ０，Ｙ１，Ｙ２，Ｙ３）、ブロックデータ４ビット（ＢＥ０，ＢＥ１，ＢＥ２，ＢＥ３）、ダミーノズルデータ１ビット（ＤＨＥ）をシリアルデータとしてヘッドに転送する様子を表す。
【００２４】
図３は、分散駆動表であり、各色６４本のノズルが１６種類のブロックに割り付けられ、どの順番に駆動されるかを示す図である。
【００２５】
例えば、復路印字においての第１回目の駆動ブロックは０（ＢＥ０〜ＢＥ３＝０）であり、割りつけられたノズルは０、３２、１、３３番目のノズルとなる。この時データに「１」を与えれば、０、３２、１、３３番目のノズルからインクを吐出するのである。同様に１６のブロックで計６４本のノズルを駆動（インクを吐出）するのである。
【００２６】
図４は、１０３が間引き命令を受けて、実際に間引きしたデータをヘッドに送るタイミング図を表す。
【００２７】
２０１は、ヘッドクロックである。
【００２８】
ある時、の印字データが４０１の様だとする。シアン４ビットがオール１、マゼンタ４ビットがオール１、イエロ４ビットがオール１、ブロックデータがオール１、ダミーデータが０ということで、この場合、ブロックは１５が選択され、各色３０、６２、３１、６３番目のノズルからインクを吐出するといったデータである。
【００２９】
この時、１０３に２５％の間引き命令が来たとする。
【００３０】
１０３の間引き制御部は、２５％の間引き命令を受け、各色のＤ３にあたる１ビット（３色で計３ビット）を１から０に置き換える。置き換えたデータの様子を４０２に示す。
【００３１】
４０２のデータにより、本来、ブロックは１５においては、各色３０、６２、３１、６３番目のノズルからインクを吐出するところが、各色３０、６２、３１番目のノズルにおいてインクを吐出し、６３番目のノズルからはインクは吐出されなくなる。即ち、３／４の吐出ということで、結果として２５％の間引きとなる。
【００３２】
これを１６のブロック全てで行なう。
【００３３】
また、２５％の間引きに関して、常にＤ３にあたる１ビットを１から０に置き換えるのではなく、Ｄ０もしくはＤ１もしくはＤ２でも良い。即ち４ビットのうちどれか１ビットを０に置き換えれば良いとする。但し、同一ブロックにおいては各色共通のビットを０に置き換えるとする。
【００３４】
次に、１０３に５０％の間引き命令が来たとする。
【００３５】
１０３の間引き制御部は、５０％の間引き命令を受け、各色のＤ１、Ｄ３にあたる２ビット（３色で計６ビット）を１から０に置き換える。置き換えたデータの様子を４０３に示す。
【００３６】
４０３のデータにより、本来、ブロックは１５においては、各色３０、６２、３１、６３番目のノズルからインクを吐出するところが、各色３０、３１番目のノズルにおいてのみインクを吐出し、６２、６３番目のノズルからはインクは吐出されなくなる。即ち、２／４の吐出ということで、結果として５０％の間引きとなる。
【００３７】
これを１６のブロック全てで行なう。
【００３８】
また、５０％の間引きに関しても同様に、常にＤ１、Ｄ３にあたる２ビットを１から０に置き換えるのではなく、４ビットのうちどれか２ビットを０に置き換えれば良いとする。但し、こちらも同様に、同一ブロックにおいては各色共通のビットを０に置き換えるとする。
【００３９】
プリンタヘッドのポジションを検知するエンコーダ等と組み合わせて、本発明の間引き制御を行なえば、全面印刷を行なうインクジェットプリンタにおいて、エンコーダカウンタにより設定された紙端部においてのインク打ち込み量を低下させることを容易に行なうことが可能となる。
【図面の簡単な説明】
【００４０】
【図１】本発明のブロック図である。
【図２】ヘッドデータをヘッドに転送するタイミングを表す図である。
【図３】分散駆動表である。
【図４】間引き命令を受けて、実際に間引きしたデータをヘッドに送るタイミング図を表す。
【符号の説明】
【００４１】
１１ａ  間引き命令
１０１  印字データ生成部
１０２  間引き指令を出す制御部
１０３  データ間引きを行なう間引き制御部
１０４  ヘッドデータ転送部
２０１  ヘッドクロック
２０２  ヘッドデータ
４０１  ヘッドデータ
４０２  ヘッドデータ
４０３  ヘッドデータ
【図１】
2005343068.tif 000003
【図２】
2005343068.tif 000004
【図３】
2005343068.tif 000005
【図４】
2005343068.tif 000006